(57)【要約】【課題】計測状態を容易に視認できるランナーズウォッチを提供する。【解決手段】ランナーズウォッチ１０は、時間の経過を計測する時間計測部３４と、時間計測部３４に対して計測を指示する操作ボタン１６と、時間計測部３４における計測結果を表示画面に表示する表示部４６と、時間計測部３４の計測状態に応じて表示画面の表示色を切り替える表示色切り替え部３８と、を備える。【選択図】図２
2015049377.tif 000002
【特許請求の範囲】
【請求項１】
時間の経過を計測する計測部と、
前記計測部に対して計測を指示する指示部と、
前記計測部が計測した計測結果を表示画面に表示する表示部と、
前記計測部の計測状態に応じて前記表示画面の表示色を切り替える表示制御部と、を備えることを特徴とする電子機器。
【請求項２】
請求項１に記載の電子機器において、
前記指示部は前記計測の開始または停止を指示し、
前記計測部は前記指示部の指示に応じて計測状態または非計測状態に遷移し、
前記表示制御部は、前記計測部が前記計測状態である場合には前記表示色を第１の色に切り替え、前記計測部が前記非計測状態である場合には前記表示色を第２の色に切り替えることを特徴とする電子機器。
【請求項３】
請求項１乃至２のいずれかに記載の電子機器において、
前記表示制御部は、前記計測部の状態に応じて前記表示画面の少なくとも一部の領域の前記表示色を切り替えることを特徴とする電子機器。
【請求項４】
請求項１乃至３のいずれか１項に記載の電子機器において、
前記表示画面は文字領域と背景領域とを含み、前記表示制御部は前記文字領域と前記背景領域の少なくとも１つの前記表示色を切り替えることを特徴とする電子機器。
【請求項５】
請求項１乃至３のいずれか１項に記載の電子機器において、
前記表示画面は白色および黒色で表示され、前記表示制御部は前記白色と前記黒色とを入れ替えることを特徴とする電子機器。
【請求項６】
請求項１乃至４のいずれか１項に記載の電子機器において、
前記指示部は、前記計測部が前記計測状態であって、かつ、所定の条件が成立する場合、前記計測の停止を指示することを特徴とする電子機器。
【請求項７】
請求項１乃至５のいずれか１項に記載の電子機器において、
測位衛星からの信号に基づいて位置情報を算出する位置算出部を備え、
前記計測部は、時間の経過と前記位置情報とに基づいて移動情報を計測することを特徴とする電子機器。
【請求項８】
請求項７に記載の電子機器において、
前記移動情報は前記計測を開始した位置を起点とする移動距離であり、
前記表示部は前記移動距離を表示することを特徴とする電子機器。
【請求項９】
請求項７乃至８のいずれかに記載の電子機器において、
加速度を検出し、検出した前記加速度に基づいて移動量を算出する加速度検出部を備え、
前記計測部は、前記位置算出部が前記位置情報を算出できない場合、前記加速度検出部が算出する前記移動量に基づいて前記移動距離を算出することを特徴とする電子機器。
【発明の詳細な説明】
【技術分野】
【０００１】
本発明は、電子機器に関する。
【背景技術】
【０００２】
電子デバイスの高集積化や多機能化に伴い、時間を計時するストップウォッチは種々の計測モードが実装されている。例えば、下記特許文献１に示すように、ユーザーが操作ボタンを操作することで、走行時に計測中であってもラップタイム値を確認したり、計測した計時情報をメモリーに記録したりできる。
また、近年では、ＧＰＳ（Global Positioning System）に代表されるように、人工衛星による衛星測位システムを利用して移動体の位置を測定し、測定した位置の時間変化に基づいて移動体の移動情報を計測する技術が知られている。このような計測機能を計時機能と共に実装し、移動情報と計時情報とに基づく種々の情報を走行中に表示する多機能なウォッチが提供されている。
【先行技術文献】
【特許文献】
【０００３】
【特許文献１】特開平７−５５９６２号公報
【発明の概要】
【発明が解決しようとする課題】
【０００４】
しかしながら、ウォッチの表示領域に表示する種々の情報は、走行中であっても視認できるように大きく表示する必要があり、その結果、計測状態を示すステータス情報は、表示領域の空いている領域に小さく表示されることになり、ユーザーは計測中か否かを容易に判定できず、計測ミスを起こしやすかった。
本発明は、上述の課題に鑑みてなされたものであり、計測状態を容易に視認できることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子機器は、時間の経過を計測する計測部と、前記計測部に対して計測を指示する指示部と、前記計測部が計測した計測結果を表示画面に表示する表示部と、前記計測部の計測状態に応じて前記表示画面の表示色を切り替える表示制御部と、を備えることを特徴とする。
【０００７】
このような構成によれば、計測部は指示部の指示に基づいて計測し、計測部の計測状態に応じて、計測結果を表示部に表示する表示画面の表示色が切り替わるため、表示画面の表示色を視認することで、計測状態を容易に把握できる。
【０００８】
［適用例２］
上記適用例にかかる電子機器において、前記指示部は前記計測の開始または停止を指示し、前記計測部は前記指示部の指示に応じて計測状態または非計測状態に遷移し、前記表示制御部は、前記計測部が前記計測状態である場合には前記表示色を第１の色に切り替え、前記計測部が前記非計測状態である場合には前記表示色を第２の色に切り替えることが好ましい。
【０００９】
このような構成によれば、計測部が計測状態の場合には表示画面の表示色は第１の色に切り替わり、計測部が非計測状態の場合には表示画面の表示色は第２の色に切り替わるため、表示画面の表示色が第１の色であるか、または第２の色であるかを視認することで、計測部の計測状態を即座に識別できる。
【００１０】
［適用例３］
上記適用例にかかる電子機器において、前記表示制御部は、前記計測部の状態に応じて前記表示画面の少なくとも一部の領域の前記表示色を切り替えても良い。
【００１１】
［適用例４］
上記適用例にかかる電子機器において、前記表示画面は文字領域と背景領域とを含み、前記表示制御部は前記文字領域と前記背景領域の少なくとも１つの前記表示色を切り替えても良い。
【００１２】
［適用例５］
上記適用例にかかる電子機器において、前記表示画面は白色および黒色で表示され、前記表示制御部は前記白色と前記黒色とを入れ替えても良い。
【００１３】
［適用例６］
上記適用例にかかる電子機器において、前記指示部は、前記計測部が前記計測状態であって、かつ、所定の条件が成立する場合、前記計測の停止を指示することが好ましい。
【００１４】
このような構成によれば、所定の条件が成立する場合、計測状態である計測部を非計測状態に遷移させることができる。
【００１５】
［適用例７］
上記適用例にかかる電子機器において、測位衛星からの信号に基づいて位置情報を算出する位置算出部を備え、前記計測部は、時間の経過と前記位置情報とに基づいて移動情報を計測することが好ましい。
【００１６】
このような構成によれば、測位衛星からの信号に基づく位置情報と時間の経過とに基づいて、自機の移動情報を計測できる。
【００１７】
［適用例８］
上記適用例にかかる電子機器において、前記移動情報は前記計測を開始した位置を起点とする移動距離であり、前記表示部は前記移動距離を表示しても良い。
【００１８】
［適用例９］
上記適用例にかかる電子機器において、加速度を検出し、検出した前記加速度に基づいて移動量を算出する加速度検出部を備え、前記計測部は、前記位置算出部が前記位置情報を算出できない場合、前記加速度検出部が算出する前記移動量に基づいて前記移動距離を算出することが好ましい。
【００１９】
このような構成によれば、位置算出部が位置情報を算出できない場合であっても、加速度検出部が算出する移動量に基づいて移動距離を算出できる。
【図面の簡単な説明】
【００２０】
【図１】ＧＰＳシステムの概要を示す模式図。
【図２】本発明の実施形態に係るランナーズウォッチの機能構成を示すブロック図。
【図３】本発明の実施形態に係るランナーズウォッチにおける処理の流れを示すフローチャート。
【図４】表示画面の遷移を示す図。
【発明を実施するための形態】
【００２１】
以下、本発明の実施形態について図面を参照して説明する。
【００２２】
（実施形態）
以下、本発明の電子機器における、好適な一例について説明する。ここでは、通信システムを構成する位置情報衛星等からの電波による測位用信号等を受信して利用する電子機器であるランナーズウォッチ１０を例にして、その概要について説明する。本実施形態では、通信システムとしてＧＰＳシステムを想定するが、これには限定されず、種々の衛星測位システムを想定できる。
【００２３】
図１は、ＧＰＳシステムの概要を示す模式図である。図１に示すように、測位衛星であるＧＰＳ衛星９０は、地球の上空の所定の軌道上を周回している位置情報衛星であり、例えば１．５７５４２ＧＨｚのマイクロ波に航法メッセージ等を重畳させた衛星信号を地上に送信している。このＧＰＳ衛星９０は原子時計を搭載しており、衛星信号には原子時計で計時された極めて正確な時刻情報であるＧＰＳ時刻情報が含まれている。そのため、ＧＰＳ受信機としての機能を備えたランナーズウォッチ１０は衛星信号を受信し、内部時刻の進みまたは遅れを修正することにより、正確な時刻を表示することができる。
【００２４】
また、衛星信号にはＧＰＳ衛星９０の軌道上の位置を示す軌道情報等も含まれている。つまり、ランナーズウォッチ１０は、測位計算を行なうこともでき、通常、４個以上のＧＰＳ衛星９０からそれぞれ送信された衛星信号を受信することによって、それら中に含まれる軌道情報およびＧＰＳ時刻情報を使用して測位計算を行なう機能等を有している。測位計算により、ランナーズウォッチ１０は、現在位置に合わせて時差を修正すること等が容易にできる。このほか、衛星信号を利用すれば、現在位置表示、移動距離測定、移動速度計測を行なう等の各種応用が可能であり、ランナーズウォッチ１０では、これらの情報を液晶パネル１２によりデジタル表示することが可能である。
【００２５】
本実施形態では、ランナーズウォッチ１０は、外装ケース１１と、外装ケース１１を腕１８に装着するためのベルト１９と、を備えている。外装ケース１１の側面には、操作ボタン１６（１６ａ，１６ｂ，１６ｃ，１６ｄ）が設けられている。操作ボタン１６は、指示部として機能し、ユーザーの押下により、計測モードの選択、計測の開始、一時停止および終了の指示、並びに、液晶パネル１２への表示の設定等ができるように割り当てられている。
図２は、ランナーズウォッチ１０の機能構成の一例を示すブロック図である。ランナーズウォッチ１０は、ＧＰＳアンテナ２２、ＧＰＳ位置算出部２０、センサー部２４、処理部３０、操作部４０、時計部４２、通信部４４、表示部４６および記憶部５０を備える。
【００２６】
ＧＰＳ位置算出部２０は、ＧＰＳ衛星９０から送信された衛星信号を利用して位置や移動速度ベクトルを測定するモジュールである。
ＧＰＳ位置算出部２０は、アルマナック（天体歴）やエフェメリス（放送歴）等の軌道情報をＧＰＳ衛星９０から送信される航法メッセージ等から取得し、取得したアルマナックに基づいてＧＰＳ衛星９０の概略位置を取得した後、エフェメリスに基づいてＧＰＳ衛星９０の詳細な位置を取得する。更に、ＧＰＳ位置算出部２０は、取得した位置情報に基づいて受信対象とする４個のＧＰＳ衛星９０を決定し、決定したＧＰＳ衛星９０から送信されるＲＦ（Radio Frequency）信号をＧＰＳアンテナ２２でそれぞれ受信し、受信したＲＦ信号を信号処理して解読することにより衛星信号を取得する。
【００２７】
ＧＰＳ位置算出部２０は、衛星信号の解析に必要なメジャメント情報を抽出する。メジャメント情報には、衛星信号を捕捉したコード位相やドップラー周波数といった諸量や、ランナーズウォッチ１０とＧＰＳ衛星９０との間の擬似距離や擬似距離変化率といった諸量が含まれる。ＧＰＳ位置算出部２０は、これらのメジャメント情報を用いて、公知の位置計算及び移動速度ベクトル計算を行って、自機の位置情報を算出する。尚、ＧＰＳ位置算出部２０は位置算出部に該当する。
センサー部２４は加速度を検出する加速度検出部として機能し、例えば加速度センサーやジャイロセンサーといった慣性センサーを有して構成されるセンサーユニットである。
操作部４０は、操作ボタン１６等を有して構成される入力装置であり、押下されたことを示す信号を処理部３０に出力する。
【００２８】
時計部４２は、ランナーズウォッチ１０の内部時計であり、水晶振動子及び発振回路でなる水晶発振器等を有して構成される。時計部４２の時刻情報は処理部３０に随時出力される。
通信部４４は、処理部３０の制御に従って、装置内部で利用される情報を外部の情報処理装置との間で送受するための通信装置である。通信部４４の通信方式としては、所定の通信規格に準拠したケーブルを介して有線接続する形式や、クレイドルと呼ばれる充電器と兼用の中間装置を介して接続する形式、近距離無線通信を利用して無線接続する形式等、種々の方式を適用可能である。
表示部４６は、液晶パネル１２のように、ＬＣＤ（Liquid Crystal Display）等を有して構成される表示装置であり、処理部３０から出力される表示信号に基づいた各種情報を表示する。
【００２９】
処理部３０は、記憶部５０に記憶されているプログラム５２に従ってランナーズウォッチ１０の各機能部を統括的に制御するプロセッサーであり、ＣＰＵ（Central Processing Unit）やＤＳＰ（Digital Signal Processor）等のプロセッサーを有して構成される。
本実施例において、処理部３０は、主要な機能部として、移動距離計測部３２、時間計測部３４および表示制御部３６を備える。ここで、移動距離計測部３２および時間計測部３４は計測部に該当する。
移動距離計測部３２は、ＧＰＳ位置算出部２０が算出した自機の位置情報に基づいて、計測を開始した基準位置を起点とする移動距離や移動速度等を計測する。尚、ＧＰＳ位置算出部２０が自機の位置情報を算出できない場合、移動距離計測部３２は、センサー部２４の慣性センサーの出力信号に基づいて移動量を算出し、算出した移動量に基づいて移動距離等を導出する態様も想定できる。
時間計測部３４は、時計部４２から出力される時刻情報に基づいて、経過時間等を計測する。
【００３０】
更に、処理部３０は、移動距離計測部３２が計測する距離に関する情報、および、時間計測部３４が計測する時間に関する情報に基づいて、ペース、ラップタイム、スプリットタイム、移動軌跡および消費カロリー等も算出できる。
表示制御部３６は、移動距離計測部３２や時間計測部３４が計測した計測結果や、処理部３０が算出した算出結果や、ＧＰＳ位置算出部２０によるＧＰＳ衛星９０の探索状態を示す表示画面を生成し、生成した表示画面を表示部４６に表示させる制御を行う。
本実施形態では、表示制御部３６は、処理部３０の処理状況に応じて、ＧＰＳ衛星９０の探索状態を示す表示画面（サーチ画面）を表示する衛星探索表示モード、現在の時刻を表示する表示画面（ホーム画面）を表示する時刻表示モード、およびユーザーの走行時間や走行距離等の移動情報を計測または算出し、その結果を示す表示画面（クロノグラフ画面）を表示する計測モードの何れかに遷移する。
計測モードでは、ユーザーの選択操作に基づいて、移動距離計測部３２、時間計測部３４および処理部３０が計測した移動距離や時間情報等の複数の情報を１つのクロノグラフ画面に表示させたり、例えば、移動距離の情報のみをクロノグラフ画面に表示させたりできる。
【００３１】
表示制御部３６は表示色切り替え部３８を有する。表示色切り替え部３８は、計測モードを実行中に、操作部４０や処理部３０からの指示に応じて計測状態から非計測状態に、または非計測状態から計測状態に遷移した場合、表示しているクロノグラフ画面の表示色を遷移した状態に対応する色に切り替えることにより、ユーザーに現在の遷移状態を視覚的に示す機能を有する。尚、非計測状態とは、計測値が初期化されるリセット状態や、継続して計測可能な一時停止（ポーズ）状態を想定する。
例えば、ユーザーが計測を開始させるべく設定された操作ボタン１６が押下された場合、移動距離計測部３２や時間計測部３４は操作ボタン１６に応じた計測を開始し、表示制御部３６は計測状態を示す表示色（第１の色）で表示したクロノグラフ画面の文字領域を表示部４６に表示する。また、ユーザーが計測を停止させるべく設定された操作ボタン１６が押下された場合、移動距離計測部３２や時間計測部３４は計測を停止し、表示制御部３６は非計測状態を示す表示色（第２の色）で表示したクロノグラフ画面の文字領域を表示部４６に表示する。
【００３２】
尚、計測状態から非計測状態への遷移は、ボタン操作のみには限定されない。例えば、移動距離計測部３２や時間計測部３４が計測中であって、所定の条件、例えば、移動速度が所定値以下になった場合、処理部３０は指示部として機能し、移動距離計測部３２や時間計測部３４に計測の停止を指示する。尚、このような条件で計測が停止した場合、移動速度が所定値を超えることで計測が再開される。
本実施形態では、表示部４６は表示画像を白黒で表示し、表示色切り替え部３８は、計測モードが実行されている場合、計測状態および非計測状態に応じて白と黒とを入れ替えて反転させる。即ち、計測状態の場合、クロノグラフ画面において情報を示す文字領域を黒色で表示し、背景領域を白色で表示する（図４（ｄ）参照）。また、非計測状態の場合、クロノグラフ画面において文字領域を白色で表示し、背景領域を黒色で表示する（図４（ｅ）参照）。尚、ユーザーが設定することで、計測状態と非計測状態の表示パターンを逆転させることができる。また、液晶パネル１２の特性によっては、黒色の領域を少なくすることで消費電力の低減を図れることを考慮して、表示パターンを決定する態様も想定できる。
【００３３】
尚、表示色の反転表示には限定されない。例えば、計測の状態に応じた色情報が予め設定され、計測状態および非計測状態に応じて文字領域の表示色や背景領域の表示色を切り替える態様も想定できる。また、遷移可能な状態は計測状態および非計測状態には限定されず、３つ以上の異なる状態間における遷移も想定できる。
また、液晶パネル１２が表示する全領域の表示色が切り替わっても良く、所定の情報を表示する一部の領域のみの表示色が切り替わっても良い。また、表示色が切り替わる際には、クロノグラフ画面のフラッシングや、現在の表示色と切り替わる表示色とを所定回数にわたって繰り返し切り替えることで、ユーザーに対してクロノグラフ画面の表示色の切り替えを予告する態様も想定できる。
記憶部５０は、ＲＯＭ（Read Only Memory）やフラッシュＲＯＭ、ＲＡＭ（Random Access Memory）等の記憶装置を有して構成され、処理部３０がランナーズウォッチ１０を制御するためのプログラム５２や、各種アプリケーション処理を実行するためのデータ５４等が記憶される。
【００３４】
図３は、ランナーズウォッチ１０における処理の流れを示すフローチャートであり、図４の表示画面の遷移を示す図を適宜参照して説明する。尚、以下の説明では、表示制御部３６は、クロノグラフ画面には移動距離のみを表示する態様に限定して説明する。
ランナーズウォッチ１０が起動すると、処理部３０は、ホームポジションである待機状態に遷移すると共に、表示制御部３６は時刻表示モードに遷移し、図４（ａ）に示すように、ホーム画面として現在の時刻を表示部４６に表示させる（ステップＳ１００）。
次に、処理部３０は、ＧＰＳ衛星検索が指示されたか、否かを判定し（ステップＳ１０１）、ユーザーによりＧＰＳ衛星検索が指示されない場合（ステップＳ１０１でＮｏ）、ステップＳ１０１の判定を繰り返す。
本実施形態では、ホーム画面を表示している場合に所定の操作ボタン１６を押下すると選択画面（図示は略す。）が表示され、ユーザーが選択画面からクロノグラフ機能を選択した場合、ＧＰＳ衛星検索の実行が指示される。このようにして、ＧＰＳ衛星検索が指示された場合（ステップＳ１０１でＹｅｓ）、処理部３０は、複数のＧＰＳ衛星９０を捕捉して衛星信号を受信し（ステップＳ１０２）、受信した衛星信号に基づいて位置情報を算出する。この場合、表示制御部３６は衛星探索表示モードに遷移し、図４（ｂ）に示すような探索状態を示すサーチ画面を表示部４６に表示させる。
【００３５】
次に、処理部３０は、ユーザーからの計測指示を待機する状態に遷移すると共に、表示制御部３６は計測モードに遷移し、図４（ｃ）に示すように、非計測状態を示す表示色でクロノグラフ画面を表示部４６に表示させる（ステップＳ１０４）。この場合、移動距離計測部３２が計測した移動距離は初期化され、表示部４６に表示される移動距離は初期値が表示される。
次に、処理部３０は、ユーザーから計測開始が指示されたか、否かを判定する（ステップＳ１０６）。ここで、ユーザーからの計測開始が指示されない場合（ステップＳ１０６でＮｏ）、処理部３０は、ホーム画面への遷移がユーザーから指示されているか、否かを判定し（ステップＳ１２０）、ホーム画面への遷移が指示されている場合（ステップＳ１２０でＹｅｓ）、ステップＳ１００に戻る。他方で、ホーム画面への遷移が指示されていない場合（ステップＳ１２０でＮｏ）、ステップＳ１０４に戻る。
【００３６】
また、ユーザーからの計測開始が指示された場合（ステップＳ１０６でＹｅｓ）、処理部３０は計測処理を開始し（ステップＳ１０８）、経過時間と移動距離の計測を開始する。
更に、表示制御部３６は、図４（ｄ）に示すように、計測状態示す表示色でクロノグラフ画面を表示部４６に表示させる（ステップＳ１１０）。
次に、処理部３０は、ユーザーから計測の一時停止が指示されたか、否かを判定する（ステップＳ１１２）。ここで、ユーザーから一時停止が指示されない場合（ステップＳ１１２でＮｏ）、ステップＳ１０８に戻り、所定の時間間隔で計測処理を継続する。
他方で、ユーザーから一時停止が指示された場合（ステップＳ１１２でＹｅｓ）、表示制御部３６は、図４（ｅ）に示すように、非計測状態を示す表示色でクロノグラフ画面を表示部４６に表示させる（ステップＳ１１４）。この場合、移動距離計測部３２が計測した移動距離は保持され、表示部４６にはこれまでに計測された移動距離が表示される。
【００３７】
次に、処理部３０は、ユーザーから計測のリセットが指示されたか、否かを判定する（ステップＳ１１６）。ここで、ユーザーから計測のリセットが指示された場合（ステップＳ１１６でＹｅｓ）、移動距離等の計測情報がリセットされ（ステップＳ１１７）、ステップＳ１０４に戻る。
他方で、ユーザーから計測のリセットが指示されない場合（ステップＳ１１６でＮｏ）、処理部３０は、ユーザーから一時停止が解除指示されたか、否かを判定する（ステップＳ１１８）。ここで、ユーザーから一時停止が解除指示されない場合（ステップＳ１１８でＮｏ）、ステップＳ１１４に戻る。
【００３８】
他方で、ユーザーから一時停止が解除指示された場合（ステップＳ１１８でＹｅｓ）、ステップＳ１０８に戻り、所定の時間間隔で計測処理を継続する。この場合、移動距離計測部３２が計測する移動距離は、表示部４６に表示されていた移動距離に加算されて計数され、表示部４６には計数された移動距離が表示される。
尚、本実施形態では、以上の処理が継続して実行され、ランナーズウォッチ１０のシステムリセットが指示された場合、処理部３０は初期化処理を実行した後、ステップＳ１００からの処理を実行する。
【００３９】
以上述べた実施形態によれば、以下のような効果を奏する。
（１）ランナーズウォッチ１０は、設定された測定項目が計測中である場合と、停止中である場合とに対応して表示部４６での表示色を変えて表示するため、ユーザーは計測状態を表示色により容易に視認できる。従って、ユーザーは、走行中の一時停止に伴って計測を一時停止させた場合、走行を再開した際に計測を再開させたか否かの確認を容易にできる。
（２）計測中の表示は文字領域を黒色とし、背景領域を白色とすることで、走行中の表示情報の視認性を向上させることができる。
【００４０】
以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００４１】
１０…ランナーズウォッチ、１１…外装ケース、１２…液晶パネル、１６…操作ボタン、１８…腕、１９…ベルト、２０…ＧＰＳ位置算出部、２２…ＧＰＳアンテナ、２４…センサー部、３０…処理部、３２…移動距離計測部、３４…時間計測部、３６…表示制御部、３８…表示色切り替え部、４０…操作部、４２…時計部、４４…通信部、４６…表示部、５０…記憶部、５２…プログラム、５４…データ、９０…ＧＰＳ衛星。
【図１】
2015049377.tif 000003
【図２】
2015049377.tif 000004
【図３】
2015049377.tif 000005
【図４】
2015049377.tif 000006